(57)【要約】      （修正有）【課題】  車両のルーフライニングのように姿勢が不安定で、比較的大型の板状のワークを、複数枚、横向きで、上下に積層状態で、ワークが上下で相互に干渉することなく、安定した姿勢で容易、確実に梱包、保持することができるワーク梱包体を提供する。【解決手段】  四辺を折り曲げて平面視矩形の底板と、底板の四隅に立設され、上下方向に所定ピッチを開けて複数の切欠４を有し、前後で組をなす左右一対のコーナー支柱３と、複数の切欠６を有する中間支柱５と、コーナー支柱３の切欠４に両端部を係合、保持されるワークの左右端部を保持する端部受け部材７と、中間支柱５の向かい合う切欠６に係合、保持され、ワークの前後端部の中間部を支持する中間部受け部材８と、コーナー支柱３及び中間支柱５の上端部に底面を当接し、底板に対向して配置される蓋板９とからなる。【選択図】      図１
2005145509.tif 000002
【特許請求の範囲】
【請求項１】
姿勢が不安定で、比較的大型の板状のワークを、複数枚積層して梱包する段ボール製のワーク梱包体であって、
四辺を折り曲げて平面視矩形をなす底板と、
前記底板の四隅に立設され、該底板と平行し、向かい合って開放され、上下方向に所定ピッチを開けて複数の切欠を有し、前後で組をなす左右一対のコーナー支柱と、
対向する左右の支柱の中間部で、前後に立設され、前記コーナー支柱と同方向に開放された複数の切欠を有する中間支柱と、
前記コーナー支柱の前後のものの夫々の間に配置され、該支柱の前記切欠に両端部を係合、保持されるワークの左右端部を保持する端部受け部材と、
前記中間支柱の向かい合う前記切欠に係合、保持され、ワークの前後端部の中間部を支持する中間部受け部材と、
前記四隅のコーナー支柱及び中間支柱の上端部に底面を当接し、前記底板に対向して配置される蓋板とから、
なることを特徴とするワークの梱包体。
【請求項２】
ワークの左右端部を保持する端部受け部材は、コーナー支柱の切欠に係合、保持される両端部の係止片と、該係止片間に配設され、前後のコーナー支柱間に配置される厚さのある補強部とを備えることを特徴とする請求項１に記載のワーク梱包体。
【請求項３】
前記端部受け部材は、両端部に係止片を備える板状部と、該板状部の端部を折り返した断面角筒状とした補強部で構成したことを特徴とする請求項２に記載のワーク梱包体。
【発明の詳細な説明】
【技術分野】
【０００１】
本発明は、車両のルーフライニングのように撓み性を有し、姿勢が不安定で、比較的大型の板状のワークを、確実、安定に積層して梱包することを可能とした梱包体に関するものである。
【背景技術】
【０００２】
比較的大型の板状のワークを輸送等するに際し、梱包する梱包部材や梱包構造は、従来から提案されている。
【０００３】
従来、この種の技術として車両のサンルーフガラスの梱包部材やライニングの梱包構造が知られている（例えば、特許文献１−２参照。）。
【特許文献１】特開平８−５８８７３号公報
【特許文献２】特開平６−３２１２５２号公報
【０００４】
特許文献１は、剛体である車両用サンルーフガラス板の外装部材に係り、台紙上に補強部材を介してガラス板を前後に複数枚並置し、台紙の両側を折ってガラス板の側面を包んで包装し、前後に並置したガラス板の上半部側面にはスペーサを介装し、ガラス板の上端部には天井板を被せ、ガラス板の両側上半部を天井板の両側を折って被せて上半部側面を包装し、爾後、バンドで緊縛するもので、包装紙による物品の包装の延長上の着想である。
この特許文献１は、梱包対象がサンルーフガラス板のように撓みのない剛体のワークに限定されること、従って梱包は縦積みにしか使用し得ないこと、撓みのあるルーフライニングのようなワークには実施し得ないこと、梱包も包装紙による包装類似の構成なので、ある程度剛性のある別の部材で外装した梱包を再梱包等する必要もある。
【０００５】
特許文献２は、ワークが撓みのあるライニングの梱包構造で、上方を開放した梱包用枠組みの底上にライニングを縦向きとし、左右に複数枚並置し、ライニングの底、側部、中央部を支持部材で支持する構造で、支持部材は複数の凹溝を備える鋸歯状で、ライニングの周端を凹溝に嵌合して支持する。支持部材は、発泡ポリウレタン等の樹脂発泡材からなる。
この特許文献２の技術は、撓みのあるワークを縦向きに梱包するので、安定性に欠ける虞があること、縦向きに支持するので、下端が傷む等の不具合もある。
又梱包に際し、鋼製の梱包用枠組み、発泡樹脂からなる支持部材等を必要とし、構成部品の材料が異なったり、多かったりして部品が多岐にわたること、支持部材が樹脂発泡材なので、輸送後これを処分しようとした際、嵩張って輸送コストが嵩み、又焼却処分しようとすると、有毒ガスの問題が発生し、埋め立てにも適さず、環境上も好ましくない。
本発明は、以上の課題を解決すべくなされたものである。
【発明の開示】
【発明が解決しようとする課題】
【０００６】
本発明は、ルーフライニングのように姿勢が不安定で、比較的大型の板状のワークを、複数枚、横向きで、上下に重ね合わせて積層状態で、ワークが上下で相互に干渉することなく、安定した姿勢で、容易、確実に梱包、保持することができるワーク梱包体を提供することを課題とする。
又本発明は、梱包体の構成部品点数が少なく、梱包、組立が容易であり、更に構成部材を全て段ボール製材料とし、輸送後の梱包体の後処理が環境に優しく、また使用後の再使用、再生上も有利である梱包体を得ることをも課題とする。
【課題を解決するための手段】
【０００７】
請求項１に係る発明は、姿勢が不安定で、比較的大型の板状のワークを、複数枚積層して梱包する段ボール製のワーク梱包体であって、四辺を折り曲げて平面視矩形をなす底板と、前記底板の四隅に立設され、該底板と平行し、向かい合って開放され、上下方向に所定ピッチを開けて複数の切欠を有し、前後で組をなす左右一対のコーナー支柱と、対向する左右の支柱の中間部で、前後に立設され、前記コーナー支柱と同方向に開放された複数の切欠を有する中間支柱と、前記コーナー支柱の前後のものの夫々の間に配置され、該支柱の前記切欠に両端部を係合、保持されるワークの左右端部を保持する端部受け部材と、前記中間支柱の向かい合う前記切欠に係合、保持され、ワークの前後端部の中間部を支持する中間部受け部材と、前記四隅のコーナー支柱及び中間支柱の上端部に底面を当接し、前記底板に対向して配置される蓋板とからなることを特徴とする。
【０００８】
請求項２に係る発明は、請求項１において、ワークの左右端部を保持する端部受け部材は、コーナー支柱の切欠に係合、保持される両端部の係止片と、該係止片間に配設され、前後のコーナー支柱間に配置される厚さのある補強部とを備えることを特徴とする。
【０００９】
請求項３に係る発明は、請求項２において、前記端部受け部材は、両端部に係止片を備える板状部と、該板状部の端部を折り返した断面角筒状とした補強部で構成したことを特徴とする。
【発明の効果】
【００１０】
請求項１に係る発明では、姿勢が不安定で、比較的大型の板状のワークを梱包するワーク梱包体を段ボール製とし、ワークを複数枚積層するに際し、周辺に囲枠片を有する底板の四隅及び中間部の前後に向かい合うように切欠を形成した６本の支柱を立設し、四隅の支柱の切欠を介して端部受け部材を向かい合う四隅の支柱の前後のものの間に架設し、ワークの両端部を載置、支持し、次に中間支柱に中間部受け部材を、切欠を介して取り付けることでワークの中間部の両端部を受けさせ、これを反復することで、ワークを横向きとして上下に積層保持し、梱包することができるので、ルーフライニングのように撓み性を有する姿勢が安定しにくいワークを、横向きに、相互に干渉することなく、複数枚積層保持して梱包することができる。
【００１１】
従って、ワークを安定した姿勢で保持、梱包することができる。梱包は、底板の四隅及び中間部に支柱を立て、四隅のものに切欠を介して端部受け部材を架設し、ワークの両端部を支持させ、中間部の支柱に切欠を介して中間部受け部材を係合、保持させ、これを反復することで複数枚のワークを横向きに積層、梱包することができ、爾後蓋板を被せれば良く、梱包体の組み立て、梱包作業が容易である。
又段ボール製の底板、四隅の支柱、中間支柱、端部受け部材、中間部受け部材、蓋板で構成されるので、部品点数は最少で足り、しかも部品は同一素材で構成されるので、製作、取り扱い上も有利であるとともに、輸送後の梱包体の後処理が環境に優しく、環境上極めて有利であり、使用後の再使用、再生上も有利である梱包体を得ることができる。
【００１２】
請求項２に係る発明では、ワークの左右端部を保持する端部受け部材を、コーナー支柱の切欠に係合、保持される両端部の係止片と、係止片間の厚さのある補強部とで構成したので、補強部により、端部受け部材はワークの荷重で曲がることがなく、ワーク荷重を確実に支持し、ワークを上下に重ね合せた際、上下のワークを相互に干渉することなく積層、保持することができる。
【００１３】
請求項３に係る発明では、端部受け部材を、両端部に係止片を備える板状部と、板状部の端部を折り返した断面角筒状とした補強部で構成したので、一枚の段ボール紙を所定形状に裁断し、折り曲げることで、補強部を有する端部受け部材を簡単な作業で、一枚の段ボール紙で製作することができる。
【発明を実施するための最良の形態】
【００１４】
本発明を実施するための最良の形態を添付図に基づいて以下に説明する。なお、図面は符号の向きに見るものとする。
図１は、本発明に係る梱包体の構成部材の分解斜視図である。
１は、段ボール製の底板で、実施例では平面視横長矩形で、底片１ａの四周にはＬ形に折り曲げて起立させた縁片１ｂが囲繞するように設けられ、縁片１ｂのコーナー部は接着テープ１ｃ等で固定されている。
２は、段ボール製の前後に長い比較的細幅の補強板（補強部材）であり、底板１の左右の起立片の内側に長さ方向を前後方向に向けて載置する。
３…（…は複数を表す。以下同じ）四隅のコーナー支柱で、平断面が左右方向に長い角筒状で、左側の前後のものに３−１，３−２の符号を付し、右側の前後のものに３−３，３−４の符号を付し、構造説明や全体説明では３の符号を付して説明する。
【００１５】
コーナー支柱３は、向かい合う内面３ａに上下に平行して、複数の切欠４…を所定ピッチを開けて設け、切欠４…は、前記した底板１の底片１ａと平行するように設けられ、支柱の一側の内側面３ｂにかかるように形成する。そして、該支柱３の面３ａの下端は、前記した補強板２を跨ぐように、浅い下向き凹部３ｃが形成されている。
コーナー支柱３−１と３−２とは、夫々の切欠４…が向かい合い、夫々の面３ｂは内側を向き、コーナー支柱３−３と３−４とは、上記と同様に夫々の切欠４…が向かい合う。
５は中間支柱で、断面が略正方形の角筒状で、前後２本（５−１，５−２）備え、向かい合う面５ａに上下に平行して、複数の切欠６…が所定ピッチを開けて設けられている。
【００１６】
７，７は、左右のワークの端部受け部材で、左右で対称形状をなし、前記したコーナー支柱３…の上下方向に離間して設けた切欠４…と同数必要とする。この端部受け部材７の詳細は後述する。
８…は、ワークの前後端部の中間部を支持する中間部受け部材で、上下方向に設けた切欠６…と同数必要とする。この中間部受け部材８の詳細についても後述する。
９は蓋板で、底板１と同形状、同寸法で、矩形で平坦な蓋片９ａと、これの四周に折曲垂下した縁片９ｂを備え、縁片９ｂのコーナー部は接着テープ９ｃ等で固定されている。
【００１７】
図２は、ワークの端部受け部材を形成する台紙の展開図である。
台紙１７は、基板１７ａの左右に長さ方向と直交する方向に設けた折り線１７ｃ，１７ｃで区画された両側に延長片１７ｂ，１７ｂを連続して備える。基板１７ａには、左右に離間して凹形の切込み１７ｅ，１７ｅを介して折り線１７ｆで折曲可能とした係止片１７ｄ，１７ｄを設ける。
又基板１７ａの先に縊れ部を設け、この先に折り線１７ｇを介して細幅の端片部１７ｈを設け、この先に折り線１７ｉを介して上片部１７ｊを設け、この先に折り線１７ｋを介して端片部１７ｍを設ける。端片部１７ｍの両側部は対向する斜辺部とし、この先に折り線１７ｎを介して左右方向に短い重合片部１７ｐを設け、折り線１７ｎには左右に係合長孔１７ｑ，１７ｑを設け、該係合長孔１７ｑ，１７ｑは、前記した係止片１７ｄ，１７ｄに対応する。
【００１８】
以上の台紙１７を次のように折曲する。
図３は、台紙を折曲して端部受け部材７を製作する過程を示す斜視図である。この図を用いて台紙１７を以下のように折曲する。
折り線１７ｃ，１７ｃから左右の延長片１７ｂ，１７ｂを浅く谷折りし、左右の延長片１７ｂ，１７ｂを斜め上方に傾斜させる（図３の状態）。続いて折り線１７ｇ，１７ｉ，１７ｋ，１７ｎを谷折りし、片１７ｈ，１７ｊ，１７ｍで角筒部を形成し、補強部とする。
重合片部１７ｐは基板１７ａの一部に重ね合わせ、係合長孔１７ｑ，１７ｑに折り線１７ｆ，１７ｆを谷折りして起立させた係止片１７ｄ，１７ｄを係合し、角筒部の形状を保持させる。
【００１９】
図４は、図３で折曲して組み立てた端部受け部材の要部縦断側面図である。
図４で明らかなように、基板１ａで基片部７ａを、この両側に図１で明示した通り左右の延出片７ｂ，７ｂが対称的に斜め上方を向くように形成され、且つ補強部である角筒部７ｃが基片部７ａの先に形成される。
図３では、基片部７ａ、延出片７ｂ，７ｂを鎖線の指示線で示した。
【００２０】
図５は、中間支柱及び中間部受け部材の分解斜視図である。又図６は、中間支柱の切欠に中間部受け部材を係止した状態の斜視図である。
これらの図に従って、中間部受け部材、これの中間支柱への支持を説明する。
中間支柱５は、実施例では断面が略正方形の筒状体で構成し、段ボール紙を折曲して角筒状とし、事前に余片として設けた端片５ｂを背部５ｃに接着等して形成した。
内表面５ａには、上下方向に所定ピッチ離間して横向きに切欠６…が形成されており、切欠６…は底板１の底片１ａと平行であり、内表面５ａから両側面５ｄにかけて切込み形成されている。
【００２１】
中間部受け部材８は、同様に段ボール製であり、基片部８ａの外端部に途中までの切込み８ｄ，８ｄを平行して設け、切込み８ｄ，８ｄの両側片部及この間の中間片部８ｂを形成した。
この中間部受け部材８の中間片部８ｂを中間支柱５の切欠６に挿入し、切込み８ｄ，８ｄは、中間支柱５の両側面５ｄの切欠６の両側部の先の部分に係合する。
これにより、中間部受け部材８は、切欠６に係合、支持されることとなる。この状態を図６で示した。
図６で明らかな通り、中間部受け部材８の基片部８ａの内側部分は切欠６から内方に所定長さ棚状に突出し、受け部８ｅを構成する。
【００２２】
図７は、本発明に係る梱包体による梱包作業を示す斜視図である。
底板１の底片１ａの左右に前記補強板２を前後方向を長さ方向として載置し、一部を接着したり、テープで止着する。次にコーナー支柱３…（３−１〜３−４）を四隅に起立固定する。
コーナー支柱３…は、切欠４…を左右のもので前後３−１と３−２、３−３と３−４とで互いに内向きとなって向かう合うように配置し、コーナー支柱３…の下端の下向き凹部３ｃを補強板２の前後に跨がせ、テープ等で固定し、四隅に起立、固定する。
更に底片１ａの左右方向の中間部で前後に中間支柱５，５をテープ等で固定して起立、設置する。
【００２３】
この状態で、前記した端部受け部材７，７は一枚のワークの支持に２枚必要とし、端部受け部材７，７は、同種のものを互いに向きが向かい合うように対称的に配置して用いる。２枚の端部受け部材７，７は、向かい合わせ配置として、左右のコーナー支柱３，３の切欠４…にその両端部を挿入、係止する。
具体的には、左右の延出片７ｂ，７ｂの先部を、先ず最下位の向かい合う切欠４，４に挿入し、係合する（図８をも参照）。これにより、左右の支柱３，３の前後のもの３−１と３−２、３−３と３−４との最下位の切欠間に前後向きに架設され、角筒部７ｃは互いに外向きとし、基片部７ａは互いに内向きとなる。
【００２４】
左右の延出片７ｂ，７ｂの先部は、対向する端部が切欠４…の端部から一部が突出する。端部受け部材７，７は、図７の白抜き矢印の方向から左右の延出片７ｂ，７ｂの先部を切欠４…に挿入し、組み付ける。
ところでワークＷは実施例ではルーフライニングとし、細線矢印の通り上から底片１ａ上に挿入し、四隅Ｗ１…はコーナー支柱３…間に臨ませる。そして前後縁部の中央部Ｗ２，Ｗ２は、中間支柱５，５間に臨む。
【００２５】
図８は、本発明に係る梱包体による梱包作業を示す縦断正面図である。
図で理解できるように、前後のコーナー支柱３−１，３−２と３−３，３−４の最下位の切欠４…間に端部受け部材７，７が保持され、補強部を構成する角筒部７ｃを含む基片部７ａの底面が補強板２上に載り、ワークＷの四隅Ｗ１…を含む左右端部が基片部７ａの上に載って支持される。
ワークの前後縁部の中央部Ｗ２，Ｗ２は、中間支柱５−１，５−２の切欠７の最下位のものに挿入、係止した中間部受け部材８の前記した受け部８ｅで支承される。これにより、ワークＷの中間部の撓みを抑制し、防止することができる。
【００２６】
図９は、梱包体の縦断正面図である。
最下位の端部受け部材７，７間に最下位のワークＷを支持させ、且つ中央部を前記したように中間部受け部材８で受け、この上のワークＷは、最下位の端部受け部材７，７の上に２段目の端部受け部材７，７を載せ、ワークＷの端部の弯曲した高さは、端部受け部材の角筒部７ｃの高さと略々一致し、ワークＷの中間部は、前記と同様に２段目の中間部受け部材８で受ける。
これを反復することで、複数段ワークＷ…を積層して支持、梱包する。
爾後、蓋板９を上から被せる。
【００２７】
図１０は、かくして得られた梱包体の外観を示す斜視図である。
梱包体を符号１０で示し、蓋板９の縁片９ｂと被せた四隅のコーナー支柱３…及び中間支柱５，５の各外面とを接着テープ等で固定する。
以上の通り、姿勢が不安定で、比較的大型の板状のワークを、複数枚横向きで上下に積み重ね、積層し、段ボール製の構成部材からなる梱包体１０で梱包することができる。
この梱包体１０のまま、或いは鋼製等の外装ケースで外側を囲み、輸送等する。
【００２８】
梱包、積載するに際し、ルーフライニングのような撓み性があり、姿勢が不安定で、比較的大型の板状のワークを、安定的に積層して確実に梱包することができる。
尚、本発明では、ワークとして車両のルーフライニングを示したが、ワークは上記に限られず任意であり、撓み性があり、比較的大型の各種板状のワークの梱包に用いることができる。
【産業上の利用可能性】
【００２９】
本発明のワークの梱包体は、車両のルーフライニングのような撓み性があり、姿勢が不安定で、比較的大型の板状のワークの積層した梱包に好適である。
【図面の簡単な説明】
【００３０】
【図１】本発明に係る梱包体の構成部材の分解斜視図である。
【図２】ワークの端部受け部材を形成する台紙の展開図である。
【図３】台紙を折曲して端部受け部材を製作する過程を示す斜視図である。
【図４】図３で折曲して組み立てた端部受け部材の要部縦断側面図である。
【図５】中間支柱及び中間部受け部材の分解斜視図である。
【図６】中間支柱の切欠に中間部受け部材を係止した状態の斜視図である。
【図７】本発明に係る梱包体による梱包作業を示す斜視図である。
【図８】本発明に係る梱包体による梱包作業を示す縦断正面図である。
【図９】梱包体の縦断正面図である。
【図１０】梱包体の外観を示す斜視図である。
【符号の説明】
【００３１】
１…底板、  ２…補強板、  ３…コーナー支柱、  ４…切欠、  ５…中間支柱、  ６…切欠、  ７…端部受け部材、７ｂ…補強部、  ８…中間部受け部材、  ９…蓋板、  １０…梱包体、  Ｗ…ワーク。
【図１】
2005145509.tif 000003
【図２】
2005145509.tif 000004
【図３】
2005145509.tif 000005
【図４】
2005145509.tif 000006
【図５】
2005145509.tif 000007
【図６】
2005145509.tif 000008
【図７】
2005145509.tif 000009
【図８】
2005145509.tif 000010
【図９】
2005145509.tif 000011
【図１０】
2005145509.tif 000012